(57)【要約】      （修正有）【課題】粘着テープに剥離のための摘みやすい折り返しをつくることのできるテープカッターを提供する。【解決手段】切断刃先の横に粘着テープの仮着面のスペースを備え、切断刃の対向面の本体部の側面壁の上部に粘着テープを仮着しておくための回転式ローラの仮着面を備える。切断刃は回転軸を支点にして、粘着テープを切断し、粘着テープの端を切断刃の横の仮着面に仮着させると同時に本体部の回転式ローラの仮着面にも粘着テープが仮着される。再び切断刃は回転式ローラの仮着面に引き寄せられ接合する。切断刃の横の仮着面と本体部の回転式ローラの仮着面の粘着テープが上方向に押し出されて、摘みが可能な折り返し部分ができる。【選択図】図３
2011016665.tif 000002
【特許請求の範囲】
【請求項１】
切断刃を切断面に平行に回転軸を備えて可動式にし、切断刃と本体部の側面壁に磁石を備え、切断刃の傾きを磁力により係止し、回転軸は本体部の角度を有した側面壁の端に備える。切断刃先の横につけられた仮着面と対向する本体部につけられた回転する仮着部を粘着テープの幅手方向の一部が両仮着面に付着するように備える。切断刃は磁極を有し、回転軸の下部の切断刃に対向する本体部の側面壁の磁極を同種に、切断刃の回転軸の上部の切断刃に対向する本体部の側面壁の磁極を異種にすることで、切断刃の回転軸の下部と本体部の側面壁が、お互いの磁力で反発し合い、切断刃の回転軸の上部の磁極と対向する本体部の側面壁がお互いの磁力で引き合う。本体部の回転枠に備えられた粘着テープ本体から粘着テープを引き出し、切断刃先で切断すると、切断刃先の横の仮着面と本体部の回転する仮着面に粘着テープの横手方向の一部がそれぞれに仮着し、切断刃が本体部の回転する仮着面に磁力により回転移動し、接合する。切断刃の移動する弧の距離に相当する粘着テープを押し出し、切断刃先の横の仮着面と本体部の回転する仮着面の間に、摘まむことのできる粘着テープの折り返しをつくる。切断刃の回転移動範囲を本体部で覆いこむテープカッター装置。
【請求項２】
請求項1の磁石に替えてバネを備えるテープカッター装置。
切断刃の回転軸と仮着面の間にバネの係止部を有し、本体部の側面壁の中にバネを格納する空間と係止部を有する。バネの伸縮の力を磁極の引き合う力と反発する力に代替する。バネは、本体部の側面の外に備えても同様の効果を得ることができる。
【請求項３】
請求項1に磁石とバネを備えるテープカッター装置。
【請求項４】
切断刃先とその横の仮着面の形態が、上部方向に凸状になってなる装置。
【請求項５】
請求項4の切断刃先には、粘着テープを切断するとき、粘着テープの切り口ポイントに最初に接触する切り口ピンがあり、小さい力で切断することを可能にする。
【発明の詳細な説明】
【技術分野】
【０００１】
本発明は、テープカッター装置に関するものである。
【背景技術】
【０００２】
一般のテープカッターは、テープ回転枠から引きだされた粘着テープを切断部の端にとり付けられた切断刃で切断し、切断刃の横にある仮着面に粘着テープの端を止めておくようになっている。つまり、粘着テープを貼り付ける時、粘着面の全部を貼り付けることになり、剥がす時に、剥がしにくい。通常、剥がし易いようにするには、粘着テープの端を折り返し、摘まみやすいようにしておくことが多い。
【０００３】
この改善策として、予め、粘着テープに剥離のための摘まみやすい折り返しをつくることのできるテープカッターを提供する。
【発明の開示】
【発明が解決しようとする課題】
【０００４】
この発明は、現状のテープカッターから切り離した粘着テープはその都度、粘着テープの端を摘まんで剥がす時のことを考慮して摘まむに適当な折り返しを用意しておくしかなかった。
【課題を解決するための手段】
【０００５】
切断刃の切断面に平行に回転軸を付けて、本体部の角度を備えた側面壁の端に固定させる。回転軸を支点として、切断刃が一定の距離の弧を往復する。
【０００６】
切断刃に磁極を備え、回転軸の上部の切断刃の対向面になる本体部の側面壁には異種の磁極を備えると、お互いに引き寄せ合う。切断刃の回転軸の下部に対向面になる本体部の側面壁には同種の磁極を備えると、反発し合う。
【０００７】
切断刃先の横に粘着テープの仮着面のスペースを備え、切断刃の対向面の本体部の側面壁の上部には粘着テープを仮着しておくための回転式ローラーの仮着面を備える。常に粘着テープの粘着部分と接触しているため、接着面積をできるだけ少なくする一方で、粘着テープと一定の摩擦係数を維持するために表面を突起状にしたり、起毛を備えたりすることができる。
【０００８】
回転枠から引き出した粘着テープを所要の長さに切断刃で切断しようとすると、切断刃は、回転軸を支点にして、回転軸の下部が本体部の側面壁の磁極に密着し合うまで傾斜する。そこで粘着テープを切断刃で切断し、粘着テープの端を切断刃先の横の仮着面に仮着させる。同時に本体部の回転式ローラーの仮着面にも粘着テープが仮着される。
【０００９】
切断刃の回転軸の下部とその対向面の本体部の側面壁の磁極は同種であるため反発し合い、切断刃の回転軸の上部とその対向面の本体部の側面壁の磁極は異種であるため引き寄せ合う。回転軸を支点にして、再び、切断刃は、対向面の本体部の側面壁の上部の回転式ローラーの仮着面に引き寄せられて接合する。切断刃の横の仮着部と本体部の回転式ローラーの仮着面の間の粘着テープが上方向に押し出されて、摘みが可能な折り返し部分ができる。
【００１０】
この発明のテープカッターで粘着テープを所要の長さを引き出し切断すると切断刃の横の仮着面と本体部の回転式の仮着面との間に、切断刃の移動によって描かれる弧の長さの半分弱の長さの摘まむことのできる粘着テープの折り返しができる。
【発明を実施するための最良の形態】
【００１１】
切断刃の回転力を生み出すために磁極の反発力と引き合う力を利用したが、磁極の替わりにバネを使用しても同様の効果を得ることができる。
【００１２】
磁極とバネを組み合わせることで同様の効果を得ることができる。
【００１３】
切断刃先とその横の仮着面の形態を粘着テープの横手方向、つまり、引っ張りだされる方向に対して上方向に凸状にする。通常、引っ張り出された粘着テープは、粘着面方向に重力の作用によってたれ落ちようとする。切断刃先とその横の仮着面を上方向に凸状に形成することで、切断されて仮着面に仮着した粘着テープの部分も同様に凸状を形成する。切断刃が、粘着テープを切断し、回転移動しながら元の位置に戻るときに、仮着面と回転式の仮着面との間の粘着テープが粘着面を内側にして凸状にカールすることでたれ落ちを防ぎ、粘着テープに上方向に曲がる力が働き、非粘着面方向に押し上げられて、自動的に摘み部分ができる。
【００１４】
切断刃先とその横の仮着面の凸状の形態は、図5の三角形、蒲鉾形、四角形等、多数あるがある。形態は仮着面と回転式の仮着面との間の粘着テープが粘着テープの横手方向に粘着面を内側にカールし、結果として、非粘着面方向に押し上げられることがポイントになる。
【００１５】
切断刃先には、粘着テープを切断するとき、粘着テープの切り口ポイントに最初に接触する切り口ピンがあり、小さい力で切断することを可能にする。粘着テープの粘着面に最初に接触し、ピンホールをつくり、その後切断刃先の傾斜角度によって小さい力で粘着テープを切断することができる。
【００１６】
粘着テープが、非粘着面方向に盛り上がる性質があるものであれば、切断刃先とその横の仮着面の形態はフラットでよい。
【実施例１】
【００１７】
図1は、テープカッターに粘着テープをセットしているところ。
【実施例２】
【００１８】
図2は、粘着テープを引き出して切断したところ。
【００１９】
図3は、切断後、切断刃が磁極の力で再び元の位置に戻ったところ。
【００２０】
図4は、磁極に替えてバネを使用しているところ。
【００２１】
図5は、断裁刃先とその横の仮着面の形態が上部方向に凸状になっているところ。
【産業上の利用可能性】
【００２２】
粘着テープは、最終的に剥がすことを前提にしているため、多方面において潜在需要はある。封筒の簡易封緘、小売販売店での簡易包装等。
【図面の簡単な説明】
【００２３】
【図１】テープカッターに粘着テープをセットした時の透視側面図 (実施例１）
【図２】粘着テープを切断した時の透視側面図（実施例2）
【図３】粘着テープの摘みの折り返しがつくられた時の透視側面図（実施例3）
【図４】バネを使用した時のテープカッターの透視側面図（実施例4）
【図５】切断刃先とその横の仮着面の透視側面図（実施例5）
【符号の説明】
【００２４】
1.     
切断刃（−極）
2.     
切断刃先
3.     
仮着面
4.     
回転軸
5.     
本体部
6.     
本体部の側面壁
7.     
本体部の上部の側面壁（＋極）
8.     
本体部の下部の側面壁（−極）
9.     
回転式の仮着面
10.   粘着テープ
11.   粘着テープ本体
12.   回転枠
13.   粘着テープの折り返し（摘まみ）
14.   切断刃のバネ係止部
15.   バネ
16.   本体部の側面壁内の係止部
17.   バネの格納空間
18.   三角形の切断刃先
19.   切り口ピン
20.   三角形の仮着面
【図１】
2011016665.tif 000003
【図２】
2011016665.tif 000004
【図３】
2011016665.tif 000005
【図４】
2011016665.tif 000006
【図５】
2011016665.tif 000007